(57)【要約】【課題】クッションユニットとアクチュエータユニットとをコンパクトに配置することができる鞍乗型車両を提供する。【解決手段】鞍乗型車両には、シートフレーム２４の下方に、シートフレーム２４を弾性支持すると共にシートフレーム２４の高さ調整が可能な車高調整装置１が設けられる。車高調整装置１は、配管４によって接続されたアクチュエータユニット２及びクッションユニット２８を備える。アクチュエータユニット２は段部２ｄを有し、段部２ｄによって形成された空間２ｄｓにクッションユニット２８の少なくとも一部が配置される。【選択図】図５
2019026115.tif 000002
【特許請求の範囲】
【請求項１】
ヘッドパイプ（２１）から後方斜め下方へ延びるメインフレーム（２２）と、前記メインフレーム（２２）から後方に延び乗車シート（１７）を支持するシートフレーム（２４）と、を有する車体フレーム（１１）の前部にフロントフォーク（１２）を介して前輪（１３）が支持され、前記車体フレーム（１１）の後部にスイングアーム（１４）を介して後輪（１６）が支持される、鞍乗型車両（１０）であって、
前記シートフレーム（２４）の下方には、該シートフレーム（２４）を弾性支持すると共に該シートフレーム（２４）の高さ調整が可能な車高調整装置（１）が設けられ、
前記車高調整装置（１）は、配管（４）によって接続されたアクチュエータユニット（２）及びクッションユニット（２８）を備え、
前記アクチュエータユニット（２）は段部（２ｄ）を有し、
前記段部（２ｄ）によって形成された空間（２ｄｓ）に前記クッションユニット（２８）の少なくとも一部が配置される、ことを特徴とする鞍乗型車両（１０）。
【請求項２】
請求項１に記載の鞍乗型車両（１０）において、
前記アクチュエータユニット（２）は、シリンダ（３）とモータ（５）とを有し、
前記シリンダ（３）及び前記モータ（５）によって前記段部（２ｄ）が形成されている、ことを特徴とする鞍乗型車両（１０）。
【請求項３】
請求項２に記載の鞍乗型車両（１０）において、
前記シリンダ（３）及び前記モータ（５）は、同一の軸線（ＳＬ）を有し、それぞれ異なる径を持つ、ことを特徴とする鞍乗型車両（１０）。
【請求項４】
請求項２又は３に記載の鞍乗型車両（１０）において、
前記モータ（５）は、前記シリンダ（３）内のピストン（３ｐ）を該シリンダ（３）の軸方向に駆動し、且つ、前記シリンダ（３）より大径に構成され、
前記クッションユニット（２８）の動作軸線（ＭＬ）に直交する断面において、前記クッションユニット（２８）の一部が、前記モータ（５）の外周面（５ｓ）から前記アクチュエータユニット（２）の軸線（ＳＬ）と平行に引いた仮想線（ＫＬ）よりも前記シリンダ（３）側に位置する、こと特徴とする鞍乗型車両（１０）。
【請求項５】
請求項１〜４の何れか一項に記載の鞍乗型車両（１０）において、
前記アクチュエータユニット（２）の軸線（ＳＬ）は、車両の前後方向から見て前記クッションユニット（２８）の動作軸線（ＭＬ）と直交するように配置されている、ことを特徴とする鞍乗型車両（１０）。
【請求項６】
請求項１〜５の何れか一項に記載の鞍乗型車両（１０）において、
前記アクチュエータユニット（２）は、前記クッションユニット（２８）とエンジン（４１）との間に配置されている、ことを特徴とする鞍乗型車両（１０）。
【請求項７】
請求項１〜６の何れか一項に記載の鞍乗型車両（１０）において、
前記アクチュエータユニット（２）は、軸方向両側で支持されている、ことを特徴とする鞍乗型車両（１０）。
【請求項８】
請求項７に記載の鞍乗型車両（１０）において、
前記アクチュエータユニット（２）は、前記車体フレーム（１１）の左フレーム（２３Ｌ）及び右フレーム（２３Ｒ）に取付ステイ（８０Ｌ、８０Ｒ）を介して締結されている、ことを特徴とする鞍乗型車両（１０）。
【請求項９】
請求項８に記載の鞍乗型車両（１０）において、
前記取付ステイ（８０Ｌ、８０Ｒ）は、それぞれ前記左フレーム（２３Ｌ）及び前記右フレーム（２３Ｒ）の内側に取り付けられ、
前記取付ステイ（８０Ｌ、８０Ｒ）の少なくとも一方には、前記左フレーム（２３Ｌ）及び前記右フレーム（２３Ｒ）のうち対面するフレームとの間に空間（ＳＰ）を形成する突出片（８５）が設けられている、ことを特徴とする鞍乗型車両（１０）。
【請求項１０】
請求項１〜９の何れか一項に記載の鞍乗型車両（１０）において、
前記アクチュエータユニット（２）は、軸線（ＳＬ）が車両の前後方向及び上下方向に対して垂直に配置されている、ことを特徴とする鞍乗型車両（１０）。
【発明の詳細な説明】
【技術分野】
【０００１】
本発明は、鞍乗型車両に関し、特に、車高を調整する車高調整装置を備えた鞍乗型車両に関する。
【背景技術】
【０００２】
特許文献１には、懸架バネと、ジャッキ室に供給される油圧にて上下移動可能なクッションユニット（緩衝器）と、この緩衝器に油圧系の配管によって接続されアクチュエータユニット（車高調整用ポンプ）とを備え、緩衝器の上下動によってシートレールを上下動して車高調整可能な車高調整装置を搭載した自動二輪車が開示されている。
【先行技術文献】
【特許文献】
【０００３】
【特許文献１】特開２０１１−１１６８３号公報
【発明の概要】
【発明が解決しようとする課題】
【０００４】
特許文献１に開示された構造においては、クッションユニットは後輪を支持するスイングアームの揺動軸近くで車両左右方向の中心部分に取り付けられているのに対して、アクチュエータユニットは、乗車シートを支持するシートレールの外側に取り付けられている。即ち、クッションユニットとアクチュエータユニットとは離れて配置され、コンパクト化という点で改善の余地があった。
【０００５】
本発明は、前述した事情に鑑みてなされたものであり、その目的は、クッションユニットとアクチュエータユニットとをコンパクトに配置することができる鞍乗型車両を提供することにある。
【課題を解決するための手段】
【０００６】
上記目的を達成するために、請求項１に係る発明は、
ヘッドパイプから後方斜め下方へ延びるメインフレームと、前記メインフレームから後方に延び乗車シートを支持するシートフレームと、を有する車体フレームの前部にフロントフォークを介して前輪が支持され、前記車体フレームの後部にスイングアームを介して後輪が支持される、鞍乗型車両であって、
前記シートフレームの下方には、該シートフレームを弾性支持すると共に該シートフレームの高さ調整が可能な車高調整装置が設けられ、
前記アクチュエータユニットは段部を有し、
前記段部によって形成された空間に前記クッションユニットの少なくとも一部が配置されることを特徴とする。
【０００７】
請求項２に係る発明は、請求項１に記載の構成に加えて、
前記アクチュエータユニットは、シリンダとモータとを有し、
前記シリンダ及び前記モータによって前記段部が形成されていることを特徴とする。
【０００８】
請求項３に係る発明は、請求項２に記載の構成に加えて、
前記シリンダ及び前記モータは、同一の軸線を有し、それぞれ異なる径を持つことを特徴とする。
【０００９】
請求項４に係る発明は、請求項２又は３に記載の構成に加えて、
前記モータは、前記シリンダ内のピストンを該シリンダの軸方向に駆動し、且つ、前記シリンダより大径に構成され、
前記クッションユニットの動作軸線に直交する断面において、前記クッションユニットの一部が、前記モータの外周面から前記アクチュエータユニットの軸線と平行に引いた仮想線よりも前記シリンダ側に位置することを特徴とする。
【００１０】
請求項５に係る発明は、請求項１〜４の何れか一項に記載の構成に加えて、
前記アクチュエータユニットの軸線は、車両の前後方向から見て前記クッションユニットの動作軸線と直交するように配置されていることを特徴とする。
【００１１】
請求項６に係る発明は、請求項１〜５の何れか一項に記載の構成に加えて、
前記アクチュエータユニットは、前記クッションユニットとエンジンとの間に配置されていることを特徴とする。
【００１２】
請求項７に係る発明は、請求項１〜６の何れか一項に記載の構成に加えて、
前記アクチュエータユニットは、軸方向両側で支持されていることを特徴とする。
【００１３】
請求項８に係る発明は、請求項７に記載の構成に加えて、
前記アクチュエータユニットは、前記車体フレームの左フレーム及び右フレームに取付ステイを介して締結されていることを特徴とする。
【００１４】
請求項９に係る発明は、請求項８に記載の構成に加えて、
前記取付ステイは、それぞれ前記左フレーム及び前記右フレームの内側に取り付けられ、
前記取付ステイの少なくとも一方には、前記左フレーム及び前記右フレームのうち対面するフレームとの間に空間を形成する突出片が設けられていることを特徴とする。
【００１５】
請求項１０に係る発明は、請求項１〜９の何れか一項に記載の構成に加えて、
前記アクチュエータユニットは、軸線が車体の前後方向及び上下方向に対して垂直に配置されていることを特徴とする。
【発明の効果】
【００１６】
請求項１の発明によれば、シートフレームの下方には、シートフレームを弾性支持すると共にシートフレームの高さ調整が可能な車高調整装置が設けられ、車高調整装置は、配管によって接続されたアクチュエータユニット及びクッションユニットを備える。アクチュエータユニットは段部を有し、この段部によって形成された空間にクッションユニットの少なくとも一部が配置される。そのため、クッションユニットに対してアクチュエータユニットを、接近させてコンパクトに配置することができる。
【００１７】
請求項２の発明によれば、アクチュエータユニットは、シリンダとモータとを有し、シリンダ及びモータによって段部が形成されていることで、シリンダ及びモータによって形成された段部を利用してアクチュエータユニットとクッションユニットを接近することができ、車体内空間を無駄なく有効に利用することができる。
【００１８】
請求項３の発明によれば、シリンダ及びモータは同一の軸線を有し、それぞれ異なる径を持つので、シリンダとモータとの間に同一軸線周りに段部を形成することができ、クッションユニットの一部を受容する空間を形成することができる。
【００１９】
請求項４の発明によれば、モータは、シリンダ内のピストンを該シリンダの軸方向に駆動し、且つ、シリンダより大径に構成される。クッションユニットの動作軸線に直交する断面において、クッションユニットの一部が、モータの外周面から軸線と平行に引いた仮想線よりもシリンダ側に位置するので、アクチュエータユニットとクッションユニットとをコンパクトに配置できる。
【００２０】
請求項５の発明によれば、アクチュエータユニットの軸線は、車両の前後方向から見てクッションユニットの動作軸線と直交するように配置されていることで、アクチュエータユニットとクッションユニットとを最もコンパクトに配置できる。
【００２１】
請求項６の発明によれば、アクチュエータユニットは、クッションユニットとエンジンとの間に配置されているので、アクチュエータユニットを車体重心寄りに配置でき、重量物を車体重心に集中させることができる。
【００２２】
請求項７の発明によれば、アクチュエータユニットは、該アクチュエータユニットの軸線方向両側で支持されているので、車体に確実に固定され、耐振性を高めることができる。また、モーメントの発生を抑えることができる。
【００２３】
請求項８の発明によれば、アクチュエータユニットは、車体フレームの左フレーム及び右フレームに取付ステイを介して締結されているので、左フレーム及び右フレームに跨がって確実に固定される。
【００２４】
請求項９の発明によれば、取付ステイは、それぞれ左フレーム及び右フレームの内側に取り付けられるので、アクチュエータユニットの張り出しを防止できるとともに、アクチュエータユニットを左フレーム及び右フレームによって保護することができる。また、左フレーム及び右フレームのうち対面するフレームとの間に空間を形成する突出片が設けられているので、突出片によって、電装品等の部品を保持することができ、保持した部品を該フレームによって保護することができる。
【００２５】
請求項１０の発明によれば、アクチュエータユニットは、その軸線が車体の前後方向及び上下方向に対して垂直に配置されているので、車体内空間を有効に利用することができる。
【図面の簡単な説明】
【００２６】
【図１】本発明の一実施形態の自動二輪車の左側面図である。
【図２】図１に示す自動二輪車の一部を破断してアクチュエータユニット及びクッションユニットを示す自動二輪車の要部拡大側面図である。
【図３】アクチュエータユニット及びクッションユニットの拡大側面図である。
【図４】図１に示す自動二輪車におけるアクチュエータユニット及びクッションユニットの模式図である。
【図５】図３のＸ−Ｘ線断面図である。
【図６】図２に示すアクチュエータユニットの車体フレームに対する取付状態を示すために車両の左側前方から見たアクチュエータユニットの斜視図である。
【図７】図２に示すアクチュエータユニットの車体フレームに対する取付状態を示すために車両の右後方から見たアクチュエータユニットの斜視図である。
【図８】図７に示す取付ステイの拡大斜視図である。
【図９】図１に示す自動二輪車におけるアクチュエータユニット及びクッションユニットを車両の前方から見た正面図である。
【発明を実施するための形態】
【００２７】
以下、本発明の実施形態の鞍乗型車両である自動二輪車について、図１〜図９を参照して説明する。なお、図面は符号の向きに見るものとし、以下の説明において、前後、左右、上下は、操縦者から見た方向に従い記載し、また、図面に車両の前方をＦｒ、後方をＲｒ、左側をＬ、右側をＲ、上方をＵ、下方をＤ、として示す。
【００２８】
図１は、本発明の一実施形態の自動二輪車１０の全体の左側面図を示す。
図１に示すように、自動二輪車１０は、ヘッドパイプ２１、左右一対のメインフレーム２２、左右一対のセンタフレーム２３、シートフレーム２４、及びダウンフレーム２６を有する車体フレーム１１を備える。この自動二輪車１０は、車体フレーム１１の前部にフロントフォーク１２を介して前輪１３が支持され、車体フレーム１１の後部にスイングアーム１４を介して後輪１６が支持され、車体フレーム１１の上部に乗車シート１７が支持されたラリー用の鞍乗型車両である。
【００２９】
ヘッドパイプ２１は、車体フレーム１１の前端部を構成し、このヘッドパイプ２１に操舵可能にフロントフォーク１２が支持される。フロントフォーク１２は、上端部にバーハンドル３１が取付けられ、下端部に車軸３２を介して前輪１３が支持される。
【００３０】
メインフレーム２２は、ヘッドパイプ２１から側面視で後方斜め下方に直線状に延びている。センタフレーム２３は、メインフレーム２２の後端部から後方に凸となるように略円弧状に湾曲し、最も後方に湾曲する部分から下方寄りの位置にピボット軸３５が車両幅方向に延びて支持されている。そして、このピボット軸３５には、上下揺動可能にスイングアーム１４の前端部が支持され、スイングアーム１４の後端部に車軸３６を介して後輪１６が支持されている。
【００３１】
シートフレーム２４は、例えば、モノコック樹脂フレームとして構成されており、左右一対のメインフレーム２２及び左右一対のセンタフレーム２３（左フレーム２３Ｌ，右フレーム２３Ｒ）に取付けられている。そして、このシートフレーム２４は、その上部には、乗車シート１７が取り付けられ、後部の内側には、樹脂製の後部燃料タンク３８が取付けられている。
【００３２】
ダウンフレーム２６は、上部を構成するダウンフレーム上部２６Ａと、下部を構成する左右一対のダウンフレーム下部２６Ｂとからなる。そして、ダウンフレーム上部２６Ａは、ヘッドパイプ２１からメインフレーム２２よりも急な角度で略下方に延びている。ダウンフレーム下部２６Ｂは、ダウンフレーム上部２６Ａの下端部から側面視では下方に延長されるように延びるとともに、左右に分岐しており、更に湾曲して略水平に後方に延びて各センタフレーム２３の下端部に接続される。
【００３３】
左右のセンタフレーム２３には車幅方向に延びる複数のクロスパイプが渡され、上部に設けられたクロスパイプ２７（図７参照）とスイングアーム１４との間にはクッションユニット２８が配置されている。
【００３４】
車体フレーム１１のダウンフレーム下部２６Ｂ及びピボット軸３５にはエンジン４１が支持されている。エンジン４１は、クランクケース４２と、クランクケース４２の前方上部から上方に延びるシリンダ部４３とを備え、クランクケース４２の後部に変速機４４が付設されている。シリンダ部４３の後面４３ｒとクランクケース４２の上面４２ｕとで形成されるエンジン段部４１ｄには、車体前方から順にスタータモータ７０と、後述するアクチュエータユニット２とが配置されている（図２参照）。
【００３５】
シリンダ部４３は、クランクケース４２に取付けられたシリンダブロック４６と、シリンダブロック４６の上端部に取付けられたシリンダヘッド４７と、シリンダヘッド４７の上部開口を塞ぐヘッドカバー４８とを備える。また、シリンダヘッド４７は、その後面に吸気装置５１、前面に排気装置５２がそれぞれ接続されている。
【００３６】
変速機４４の出力軸４４ａにはドライブスプロケット３９が取付けられ、このドライブスプロケット３９と、後輪１６に一体的に設けられたドリブンスプロケット４９とにはチェーン６５が掛け渡されて、変速機４４から後輪１６へ駆動力が伝達される。
【００３７】
メインフレーム２２、ダウンフレーム２６及びエンジン４１の両側方には、左右一対の前部燃料タンク６６が配置されている。ラリー競技においては、長距離を走行するため、左右一対の前部燃料タンク６６と後部燃料タンク３８とで大きなタンク容量が確保されている。
【００３８】
図２は、図１に示す自動二輪車１０の一部を破断してアクチュエータユニット２及びクッションユニット２８を示す自動二輪車の要部拡大側面図であり、図３は、アクチュエータユニット２及びクッションユニット２８の拡大側面図を示す。
図２及び図３に示すように、シートフレーム２４の下方であって、シートフレーム２４とスイングアーム１４との間には、該シートフレーム２４を弾性支持すると共に該シートフレーム２４の高さ調整が可能な車高調整装置１が設けられている。この車高調整装置１は、車両の左右方向に延びる略筒状のアクチュエータユニット２及び車両の上下方向に延びる略円筒形のクッションユニット２８を備えており、両ユニットは、油圧系の配管４によって接続されている。また、アクチュエータユニット２には、アクチュエータユニット２を制御するアクチュエータ制御装置３０（図４参照）が接続されている。
【００３９】
以下、図４〜図８を参照して、アクチュエータユニット２及びクッションユニット２８の構造についてより詳細に説明する。
図４は、アクチュエータユニット２及びクッションユニット２８の模式図であり、図５は、図３のＸ−Ｘ線断面であり、図６は、アクチュエータユニット２の車体フレーム１１に対する取付状態を示すために車両の左側前方から見たアクチュエータユニット２の斜視図であり、図７は、アクチュエータユニット２の車体フレーム１１に対する取付状態を示すために車両の右後方から見たアクチュエータユニット２の斜視図であり、図８は、右取付ステイ８０Ｒの拡大斜視図であり、図９は、アクチュエータユニット２及びクッションユニット２８を車両の前方から見た正面図である。
【００４０】
図４に示すように、アクチュエータユニット２は、シリンダ３と、このシリンダ３内に摺動自在に挿入されるピストン３ｐと、配管４の一端部が接続され、該シリンダ３内にピストン３ｐで区画したポンプ室３ｃと、シリンダ３より大径のモータ５とを備える。モータ５の内部にはボールねじ６が設けられる。ボールねじ６は、モータ５の回転運動をピストン３ｐの直進運動に変換する。シリンダ３及びモータ５は、同一の軸線ＳＬを有している。言い換えると、モータ５は、シリンダ３の軸心を中心に回転する。
【００４１】
クッションユニット２８は、略筒状のクッション本体２８ａと、懸架バネ２８ｓと、を備え、クッション本体２８ａの上端取付部２８ｕがクロスパイプ２７のクロスパイプブラケット２７ｂ（図７参照）に支持されると共に、下端取付部２８ｄがスイングアーム１４に支持されている。クッション本体２８ａの下部側には、懸架バネ２８ｓの一端（上端）を支持するバネ受部２８ｂが設けられている。このバネ受部２８ｂは、その上部のバネ受上部２８ｂｕがジャッキ室２８ｊ内を上下に移動可能（矢印Ｙ方向）なピストン機能を有している。すなわち、バネ受部２８ｂは、ジャッキ室２８ｊに接続された配管４によって、シリンダ３のポンプ室３ｃの油圧Ｐを受けてジャッキ室２８ｊ内を上下に移動することができる。なお、本実施形態におけるクッションユニット２８は、上端取付部２８ｕの下部に油圧系の制御をする筒状の昇圧ユニット２８ｐがクッション本体２８ａに隣接するように設けられている（図３参照）。
【００４２】
アクチュエータユニット２のモータ５の制御は、例えば、操作スイッチＳＷのつまみＧを適宜回転（矢印Ｍ方向）することで行う。すなわち、操作スイッチＳＷの操作信号が、信号線３０ａを介してアクチュエータ制御装置３０に送信され、アクチュエータ制御装置３０から信号線３０ｂを介してモータ５に送られてピストン３ｐの移動操作が行われる。ピストン３ｐが前進するとポンプ室３ｃの容積が減少し、ジャッキ室２８ｊに油圧Ｐが供給され、ジャッキ室２８ｊの容積が増大するのでバネ受部２８ｂが図４中下方へ移動して車高を高くすることができ、反対に、ジャッキ室２８ｊから油圧Ｐを排出すると、ジャッキ室２８ｊを圧縮する懸架バネ２８ｓの附勢力によってバネ受部２８ｂを図４中上方へ移動させジャッキ室２８ｊの容積が減少し、車高が低くなるようになっている。
【００４３】
アクチュエータユニット２及びクッションユニット２８の配置は、図５に示すように、クッションユニット２８の動作軸線ＭＬに直交する断面において、クッションユニット２８の一部が、モータ５の外周面５ｓから軸線ＳＬと平行に引いた仮想線ＫＬよりもシリンダ３側に位置している。すなわち、アクチュエータユニット２は、大径部分と小径部分との外径差によって形成された段部２ｄを有し、この段部２ｄによって形成された空間２ｄｓ内にクッションユニット２８の一部が入り込むように配置されている。したがって、モータ５の軸線方向から見ると、クッションユニット２８に対してアクチュエータユニット２のモータ５の外周面５ｓが重なるように接近している。この段部２ｄは、同一の軸線ＳＬを有し異なる径を持つモータ５とシリンダ３とにおいて、大径部分であるモータ５と小径部分であるシリンダ３とによって形成されてもよく、モータ５自体が異なる径を持ち、モータ５の大径部分とモータ５の小径部分とによって形成されてもよい。
【００４４】
また、アクチュエータユニット２は、図１及び図２に示すように、軸線ＳＬが車両の前後方向及び上下方向に対して垂直、即ち左右方向に水平に延びており、且つ、図９に示すように車両の前後方向から見て、上下方向に延びるクッションユニット２８の動作軸線ＭＬと交差、より好ましくは直交するように配置されている。
【００４５】
また、アクチュエータユニット２は、エンジン４１とクッションユニット２８との間に配置されている（図２、図３及び図５参照）。また、アクチュエータユニット２は、上記したエンジン段部４１ｄにスタータモータ７０に隣接するように配置される。図３から明らかなように、自動二輪車１０には、車体前方からエンジン４１、スタータモータ７０、アクチュエータユニット２、及びクッションユニット２８が順に配置されている。
【００４６】
続いて、アクチュエータユニット２の支持構造について図６及び図７を参照しながら説明する。
アクチュエータユニット２は、軸線ＳＬ方向の両側で支持されている。より具体的には、アクチュエータユニット２は、軸線ＳＬ方向の両側で且つ軸線ＳＬ上で支持されている。アクチュエータユニット２は、左取付ステイ８０Ｌに左固定ボルト９１（図６参照）によって締結されると共に、右取付ステイ８０Ｒに右固定ボルト９２（図７参照）によって締結されている。
【００４７】
左取付ステイ８０Ｌ及び右取付ステイ８０Ｒは、左右で形状が異なっている。左フレーム２３Ｌに取り付けられる左取付ステイ８０Ｌは、図６に示すように、左固定ボルト９１が取り付けられるモータ固定部８０ｍを中心にして略菱形形状の板状の部材である。そして、左取付ステイ８０Ｌは、菱形の４つの頂点に取付孔が設けられ、４つの取付孔のうち３つの取付孔に取付ボルト９３が挿入されて左フレーム２３Ｌの内側に締結される。詳細には、３つの取付ボルト９３のうち上後方及び下後方の２つの取付ボルト９３が、左フレーム２３Ｌの内側から螺合し、上前方の取付ボルト９３が、左フレーム２３Ｌの前方から下方に向かって突出するブラケット２３Ｌｂに外側から螺合することで左取付ステイ８０Ｌは左フレーム２３Ｌに取り付けられる。なお、残り１つの下前方の取付孔は、アクチュエータユニット２に締結されるモータ固定部である。
【００４８】
一方、右フレーム２３Ｒに取り付けられる右取付ステイ８０Ｒは、図６及び図７に示すように、右固定ボルト９２が取り付けられるシリンダ固定部８０ｃの上部から車体前方に延びると共に前端部から斜め上方及び斜め下方に延びる略Ｙ字形状に構成された板状の部材である。そして、右取付ステイ８０Ｒは、２つの取付ボルト９４を介して右フレーム２３Ｒの内側に締結される。詳細には、後方の取付ボルト９４が右フレーム２３Ｒの内側から螺合し、前方の取付ボルト９４が右フレーム２３Ｒの前方から下方に向かって突出するブラケット２３Ｒｂに外側から螺合することで右取付ステイ８０Ｒが右フレーム２３Ｒに取り付けられる。
【００４９】
このように、左取付ステイ８０Ｌ及び右取付ステイ８０Ｒは、それぞれ左フレーム２３Ｌ及び右フレーム２３Ｒの内側に取り付けられている。また、本実施形態においては、図６及び図８に示すように、右取付ステイ８０Ｒには、右フレーム２３Ｒとの間に空間ＳＰを形成する突出片８５が設けられている。すなわち、突出片８５は、右取付ステイ８０Ｒの内側に、例えば一対のビス９５を介して下方に延びるように固定されている。そして、突出片８５の外側には、ホルダ８６が設けられており、このホルダ８６には、例えば、コネクタなどの部品９０が着脱可能に装着されている。
【００５０】
以上説明したように、本実施形態によれば、シートフレーム２４の下方には、シートフレーム２４を弾性支持すると共にシートフレーム２４の高さ調整が可能な車高調整装置１が設けられ、車高調整装置１は、配管４によって接続されたアクチュエータユニット２及びクッションユニット２８を備える。アクチュエータユニット２は段部２ｄを有し、この段部２ｄによって形成された空間２ｄｓにクッションユニット２８の少なくとも一部が配置される。そのため、クッションユニット２８に対してアクチュエータユニット２を、接近させて配置することができる。即ち、アクチュエータユニット２における段部２ｄを利用して、クッションユニット２８とアクチュエータユニット２とをコンパクトに配置することができる。
【００５１】
また、アクチュエータユニット２は、シリンダ３とモータ５とを有し、シリンダ３及びモータ５によって段部２ｄが形成されていることで、シリンダ３及びモータ５によって形成された段部２ｄを利用してアクチュエータユニット２とクッションユニット２８を接近することができ、車体内空間を無駄なく有効に利用することができる。
【００５２】
また、シリンダ３及びモータ５は、同一の軸線ＳＬを有し、それぞれ異なる径を持つので、シリンダ３とモータ５との間に同一軸線周りに段部２ｄを形成することができ、クッションユニット２８の一部を受容する空間２ｄｓを形成することができる。
【００５３】
また、モータ５は、シリンダ３内のピストン３ｐをシリンダ３の軸方向に駆動し、且つ、シリンダ３より大径に構成される。クッションユニット２８の動作軸線ＭＬに直交する断面において、クッションユニット２８の一部が、モータ５の外周面５ｓから軸線ＳＬと平行に引いた仮想線ＫＬよりもシリンダ３側に位置するので、アクチュエータユニット２とクッションユニット２８とをコンパクトに配置できる。
【００５４】
また、アクチュエータユニット２の軸線ＳＬは、車両の前後方向から見てクッションユニット２８の動作軸線ＭＬと直交するように配置されていることで、アクチュエータユニット２とクッションユニット２８とを最もコンパクトに配置できる。
【００５５】
また、アクチュエータユニット２は、クッションユニット２８とエンジン４１との間に配置されているので、アクチュエータユニット２を車体重心寄りに配置でき、重量物を車体重心に集中させることができる。
【００５６】
また、アクチュエータユニット２は、該アクチュエータユニット２の軸線ＳＬ方向両側で支持されているので、車体に確実に固定され、耐振性を高めることができる。また、モーメントの発生を抑えることができる。
【００５７】
また、アクチュエータユニット２は、車体フレーム１１の左フレーム２３Ｌ及び右フレーム２３Ｒに取付ステイ８０Ｌ、８０Ｒを介して締結されているので、左フレーム２３Ｌ及び右フレーム２３Ｒに跨がって確実に固定される。
【００５８】
また、取付ステイ８０Ｌ、８０Ｒは、それぞれ左フレーム２３Ｌ及び右フレーム２３Ｒの内側に取り付けられるので、アクチュエータユニット２の左右フレーム外側への張り出しを防止できるとともに、アクチュエータユニット２を左フレーム２３Ｌ及び右フレーム２３Ｒによって保護することができる。また、左フレーム２３Ｌ及び右フレーム２３Ｒのうち対面するフレームとの間に空間ＳＰを形成する突出片８５が設けられているので、突出片８５によって、電装品等の部品９０を適宜保持することができ、保持した部品９０を車体フレーム１１によって保護することができる。
【００５９】
また、アクチュエータユニット２は、その軸線ＳＬが車体の前後方向及び上下方向に対して垂直に配置されているので、車体内空間を有効に利用することができる。
【００６０】
以上、本発明の一実施形態について説明したが、本発明はこれに限るものではなく、適宜変更できる。
例えば、アクチュエータユニット２において、大径部分と小径部分との外径差によって形成される段差は、モータ５の大径部分とモータ５の小径部分とによって形成される段差でもよく、大径のモータ５と小径のシリンダ３とによって形成される段差でもよい。
【００６１】
また、上記実施形態においては、右取付ステイ８０Ｒに突出片８５を設けて部品を収納する空間ＳＰを形成したが、左取付ステイ８０Ｌ又は左右両方の取付ステイ８０Ｌ、８０Ｒに部品を収納する空間ＳＰを設けるように構成してもよい。
また、取付ステイ８０Ｌ、８０Ｒの形状は、上記実施形態における図示の形状になんら制限されるものではなく必要に応じて適宜変更することができる。
また、上記実施形態においては、自動二輪車について説明したが、本発明は、他のバギー等の鞍乗型車両でもよい。
【符号の説明】
【００６２】
１      車高調整装置
２      アクチュエータユニット
２ｄ    段部
２ｄｓ  空間
３      シリンダ
３ｐ    ピストン
４      配管
５      モータ
５ｓ    外周面
１０    自動二輪車（鞍乗型車両）
１１    車体フレーム
１２    フロントフォーク
１３    前輪
１４    スイングアーム
１６    後輪
１７    乗車シート
２１    ヘッドパイプ
２２    メインフレーム
２３Ｌ  左フレーム
２３Ｒ  右フレーム
２４    シートフレーム
２８    クッションユニット
４１    エンジン
８０    取付ステイ
８５    突出片
ＫＬ    仮想線
ＭＬ    動作軸線
ＳＬ    軸線
ＳＰ    空間
【図１】
2019026115.tif 000003
【図２】
2019026115.tif 000004
【図３】
2019026115.tif 000005
【図４】
2019026115.tif 000006
【図５】
2019026115.tif 000007
【図６】
2019026115.tif 000008
【図７】
2019026115.tif 000009
【図８】
2019026115.tif 000010
【図９】
2019026115.tif 000011